(57)【要約】  【課題】  製造プロセスの追加や光学特性の低下を伴うことなく、製造時におけるリベットと反射電極との衝突や摩擦を防止する半透過式の垂直配向型液晶素子及びそれを備えた液晶表示装置を提供する。  【解決手段】  半透過型の液晶素子１は、透明基板５と、透明基板５上に形成される着色層６と、着色層６上にベタ状に積層される透明電極層７から構成されるカラーフィルタ基板２と、ＴＦＴ基板８と、ＴＦＴ基板８上に積層される透過電極９及び反射電極１１から構成される対向基板３とが対向配置され、その隙間に液晶層４が封入された構成となっている。透過部１７及び反射部１８には液晶分子の配向中心となるリベット１０ａ、１０ｂが形成されており、反射部リベット１０ｂに対向する反射電極１１の表面には凸部１１ａの存在しない平坦部２３が形成されている。【選択図】      図１
2006322958.tif 000002
【特許請求の範囲】
【請求項１】
透明基板上に透明電極層が積層された第１の基板と、
表面に外光を乱反射する多数の凸部及び凹部が形成された反射電極と、バックライト光源からの光を透過する透過電極とが所定のパターンで配置され、前記反射電極及び前記透過電極に電圧を供給する能動素子を備えた第２の基板と、
該第１及び第２の基板の間に挟持された液晶層と、から構成され、
前記反射電極が存在する反射部と前記透過電極が存在する透過部を有する垂直配向型の半透過型液晶素子において、
前記透明電極層上には、前記液晶層に含まれる液晶分子の軸対称の配向中心となる配向中心形成用突起が形成されており、前記配向中心形成用突起に対向する前記反射電極の表面には前記凸部の存在しない平坦部が形成されることを特徴とする液晶素子。
【請求項２】
前記配向中心形成用突起の先端と前記平坦部との間に所定の間隔が設けられることを特徴とする請求項１に記載の液晶素子。
【請求項３】
前記第１の基板側から平面的に見たとき、前記配向中心形成用突起の外周と、前記平坦部の外周との間に所定の間隔が設けられることを特徴とする請求項１又は請求項２に記載の液晶素子。
【請求項４】
前記反射電極の厚みにより前記反射部のセル厚を調整することを特徴とする請求項１乃至請求項３のいずれかに記載の液晶素子。
【請求項５】
前記反射部に対向する前記第１の基板にセル厚調整用段差が設けられることを特徴とする請求項１乃至請求項３のいずれかに記載の液晶素子。
【請求項６】
前記反射部と前記透過部のセル厚の比が略１／２であることを特徴とする請求項４又は請求項５に記載の液晶素子。
【請求項７】
請求項１〜請求項６のいずれかに記載の液晶素子が搭載された液晶表示装置。
【発明の詳細な説明】
【技術分野】
【０００１】
本発明は、液晶表示装置及びその製造方法に関し、特にコントラストの低下を抑制しながら応答速度、配向安定性を改善する方法に関するものである。
【背景技術】
【０００２】
近年、ディスプレイ装置として従来使用されてきたブラウン管（Cathode  Ray  Tube）に代わり、いわゆるフラットパネルディスプレイが主流となって市場を拡大しつつある。中でも、液晶表示装置（Liquid  Crystal  Display）は、薄型、軽量、低消費電力、高精細を特徴としており、テレビやパソコン、デジタルカメラ、携帯電話等の広い分野に用いられている。
【０００３】
液晶表示装置としては、一般に、液晶素子としてネマティック液晶を用いたＴＮ（Twisted  Nematic）型や、ＳＴＮ（Super  Twisted  Nematic）型などが用いられており、２枚の基板の間に液晶を注入し、これに与える電圧の強さを調節して液晶分子の相転移現象により光の透過量を調整する構造になっている。液晶表示装置は、例えば、内側面に透明電極が形成されている１対の透明基板と、この間に封入される液晶と、それぞれの透明基板の外側に設けられた、光を偏光させる２枚の偏光板とから構成される。
【０００４】
フルカラー表示が可能なカラー液晶素子のセル構造は、カラー生成を分担する受動エレメントであるカラーフィルタと、光シャッターとして機能する液晶セルを組み合わせた構成であり、基本的には赤（Ｒ）、緑（Ｇ）、青（Ｂ）、又はシアン（Ｃ）、マゼンタ（Ｍ）、イエロー（Ｙ）の３原色の画素を有するカラーフィルタ基板と、透明基板上にＴＦＴ（薄膜トランジスタ）等の能動素子や導電膜を形成した対向基板との隙間に液晶層を封入して成るものである。
【０００５】
カラーフィルタ基板の通常の製造方法としては、まず透明基板上にブラックマトリクス（以下、ＢＭという）を形成する。ＢＭは、各画素間に配列された遮光領域を示し、液晶表示装置の表示コントラストを向上させ、またＴＦＴなどの能動素子に光が入射して誤動作することを防ぐために設けられる。ＢＭの形成は、通常、透明基板上にクロムやニッケル等の金属又はそれらの酸化物、或いはカーボンブラック等の遮光剤を分散させた感光性又は非感光性の樹脂を積層し、格子状にパターニングすることにより行われる。
【０００６】
次に、格子状のＢＭの開口部を埋めるように着色層を印刷（積層）して各色の画素を形成する。そして、この着色層の上に液晶を電界で駆動させるために必要なＩＴＯ（酸化インジウムスズ）層などから成る透明電極層が形成される。セルの組み立てに際しては、この透明電極層の上にポリイミドから成るオーバーコート膜を積層した後、ラビング処理を行うことにより、液晶分子の配向性を安定化させるための配向膜を形成する。この後、セル組み立て工程へ送られ、対向基板と貼り合わされた後、液晶注入が行われる。
【０００７】
近年、液晶表示装置の大画面化やモニタ用途への展開に伴い視野角特性の改良が求められており、ネガ型液晶を使用したＶＡ（Vertical  Alignment）型液晶表示装置の開発が進められている。ＶＡ方式は、電圧無印加のときに液晶分子長軸が基板表面に対して垂直に配向して黒表示となり、電圧印加で液晶長軸が基板面と平行方向に倒れて白表示となる、いわゆる垂直配向型ノーマリーブラック方式であり、従来のＴＮ方式に比べて高視野角化が可能であるという特長を有している。
【０００８】
しかし、上記のような液晶表示装置に用いられる液晶素子は、初期配向状態において所定のプレチルト角（液晶分子と基板表面とのなす角）を有しており、図８に示すように、電極１０１、１０２間に電圧を印加した時に液晶分子Ｌが同一方向に立ち上がる。このため、図８（ｂ）のように異なる視角Ａ及び視角Ｂからセルを観察した場合、液晶分子Ｌの見かけ上の屈折率が変化して表示のコントラストが低下し、さらに中間調状態では視角によりコントラストの反転現象が生じるなど、表示品位が著しく低下する。
【０００９】
なお、図８は、電圧無印加状態で図８（ａ）のように液晶分子の配向が水平方向となり、電圧印加状態で図８（ｃ）のように液晶分子の配向が垂直方向となるＴＮ型やＳＴＮ型の液晶素子について示しているが、ＶＡ型の液晶素子においても事情は同じである。
【００１０】
そこで、液晶表示装置の視野角を拡大する方法が種々提案されており、例えば特許文献１には、カラーフィルタの画素上での液晶配向を分割するために、ＶＡ型液晶表示装置のカラーフィルタ基板若しくは対向基板の表面に、液晶分子の軸対称の配向中心となる突起を設けることにより、液晶配列方向の制御を自動的に行う広視野角なＭＶＡ（Multi  domain  Vertical  Alignment）型液晶表示装置が開示されている。
【００１１】
また、特許文献２には、液晶と光硬化性又は熱硬化性樹脂とを混合して硬化させて樹脂中に液晶滴を形成した高分子分散型の液晶表示素子において、対向する２枚の基板の少なくとも一方に凸部、凹部或いは柱部を設けて液晶分子を軸対称状に配向するとともに、凸部を形成する材料に有色の添加物を加えて遮光性を付与してコントラストの低下を防止する方法が開示されている。
【００１２】
ＭＶＡ型液晶素子の構造を図９に示す。ここでは一例として、透過型の液晶素子について説明する。図９において、液晶素子１は、カラーフィルタ基板（第１の基板）２、及びカラーフィルタ基板２に対向して設けられた対向基板（第２の基板）３と、その隙間に封入される液晶層４から構成される。なお、図９は電圧の無印加状態を示している。
【００１３】
カラーフィルタ基板２は、ガラス等から成る透明基板５と、透明基板５上に形成される赤（Ｒ）、緑（Ｇ）、青（Ｂ）のいずれかの色の着色層６と、着色層６上にベタ状に積層されるＩＴＯ層などから成る透明電極層７から構成されている。なお、ここでは図示しないが、透明基板５と着色層６との間には、遮光膜となるＢＭが格子状に形成されており、その格子間の開口部を埋めるように着色層６が形成されている。また、透明電極層７の上に形成される配向膜も記載を省略している。
【００１４】
一方、カラーフィルタ基板２に対向する対向基板３は、ゲート線及びソース線をマトリクス状に配置し、その交点にＴＦＴ（いずれも図示せず）が接続された透明なＴＦＴ基板８と、ＴＦＴ基板８上に積層される透過電極９から構成されている。なお、対向基板３上にも配向膜が形成されているが、ここでは記載を省略している。そして、図示しないバックライト光源からの光をＴＦＴ基板８側からカラーフィルタ基板２側へ透過させることにより、所望のカラー画像の表示を行う。
【００１５】
１０は、基板上の一部に設けられた配向中心形成用突起（以下、リベットという）である。リベット１０周辺の液晶分子はリベット表面に対し垂直に配向するため、リベット１０が角錐であればその斜面の数によって配向分割数が決まり、リベット１０が円錐であれば放射状の液晶配向が得られる。即ち、液晶分子Ｌはリベット１０により軸対称に均等配向されるため、視野角特性を改善することができる。
【００１６】
なお、リベット１０の頂部は配向規制力がほとんど存在せず、液晶分子の配向が不安定となるため、頂部はなるべく狭いことが望ましい。また、リベット１０の側面の傾斜は順テーパ形状であることが望ましい。
【００１７】
また、リベット１０の形状が不均一であると液晶配向の乱れが生じ、表示ムラが発生する原因となるため、リベット１０を均一に形成することが求められる。このため、リベット１０を形成する手法としては、微細なパターンを精度良く加工できるフォトリソグラフィ法が用いられる。即ち、リベット１０が非感光性の樹脂で形成される場合は、その上にフォトレジスト膜を形成した後に、また、リベット１０が感光性の樹脂で形成される場合は、そのまま、或いは酸素遮断膜を形成した後に、所定のパターンを有するフォトマスクを介し、露光、現像を行うことにより形成される。その後、さらにリベット１０上も含めて配向膜（図示せず）が積層される。
【００１８】
ここで、液晶素子には、光源としてバックライトのみを利用する透過型、外光の反射のみを利用する反射型、外光の反射とバックライトの両方を利用する半透過型の３タイプがある。画面背面のバックライトを光源とする透過型液晶は、彩度が高く、暗い室内で見やすいという特徴があるが、消費電力が大きく、明るい屋外ではコントラストが低下するという欠点がある。
【００１９】
また、外光の反射を光源とする反射型液晶は、消費電力が少なく、明るい屋外で見やすいという特徴があるが、彩度が低く、暗いところでは表示できなくなるという欠点がある。半透過型液晶は、一部の光を反射し、一部の光を透過するマジックミラーのような素材を液晶パネルの裏に挟むことで両者を融合したタイプや液晶素子内に外光を反射する反射部とバックライトの光を透過する透過部を有するタイプの液晶で、暗いところではバックライトを、明るいところでは外光を利用することで、両者の利点を生かした方式であり、携帯電話などに広く利用されている。
【００２０】
従来の半透過型のＭＶＡ型液晶素子を図１０及び図１１に示す。図１０は、半透過型のＭＶＡ型液晶素子の平面図である。図１０に示すように、ＴＦＴ基板８（図１１参照）上にゲート線２０とソース線２１がマトリクス状に配線され、ゲート線２０とソース線２１で囲まれた部分に液晶素子１が形成される。液晶素子１にはバックライト光源からの光を透過させる透明な透過電極９、及び外光を乱反射させる反射電極１１が積層されており、反射電極１１の一部が窓状に開口して透過電極９が露出する透過部１７となり、反射電極１１の存在する部分が反射部１８となる。対向基板３とカラーフィルタ基板２（図１１参照）との隙間には液晶層４（図１１参照）が封入されており、カラーフィルタ基板２の内面にはリベット１０が形成されている。
【００２１】
液晶素子１に画像を表示させるためには、走査信号をゲート線２０に流し、データ信号をソース線２１に流すことで、両信号線が平面的に見て交差する部分に配置された薄膜トランジスタ（以下、ＴＦＴという）２２のソース電極にデータ信号が、ゲート電極に走査信号が供給される。このようにしてＴＦＴ２２がＯＮすると、ＴＦＴ２２のドレイン電極と兼用される透過電極９を介して液晶層４に電圧が印加されて液晶分子の配列方向が制御される。透過電極９の下方には絶縁層を介して補助容量線１２が設けられており、ゲート線２０からの走査信号がＬＯＷレベルになってＴＦＴ２２がＯＦＦになっても、ＴＦＴ２２のゲート電位が補助容量線１２により所定時間保持され、液晶分子の配向が継続する。
【００２２】
図１１は、ＭＶＡ型液晶素子の概略断面図（図１０のＡＡ′断面を左側から見た図）である。液晶素子１には、バックライト光源からの光を透過させる透過電極９が露出する透過部１７と、外光を反射させる反射電極１１が存在する反射部１８が形成されている。反射電極１１は、樹脂製層間絶縁膜１５の表面にＡｌ／Ｍｏ膜から成る反射電極膜１６が積層されて成り、反射電極１１の上面には、外光を乱反射させるための多数の凸部１１ａ及び凹部１１ｂが形成されている。補助容量線１２上にはＴＦＴ基板８全面を被うように透明樹脂から成るゲート絶縁膜１３が積層されており、ゲート絶縁膜１３上には透過電極９が積層されている。反射部１８の透過電極９上には、さらに保護絶縁膜１４が積層されている。
【００２３】
このような半透過型液晶素子では、反射部１８に形成されるリベット（以下、反射部リベットという）１０ｂの直下にも凸部１１ａが形成されている。このとき、反射部１８のセル厚Ｒがリベット高さＲｉに比べて十分に広い場合には反射部リベット１０ｂと反射電極１１とのクリアランスｃが確保されており、リベット１０ｂが反射電極１１に接触するおそれはない。一方、良好な動画表示性能を得るために、液晶分子の電界応答速度を向上する必要性が発生する場合があり、その電界応答速度向上手段の一つとしてはセル厚Ｒを狭小化する方法がある。しかしながら、セル厚Ｒを狭小化した場合には、クリアランスｃを十分に確保できず、反射部リベット１０ｂが反射電極１１の凸部１１ａに接触し、摩擦を生じるおそれがある。
【００２４】
リベットが反射電極に接触すると、リベット表面の配向膜が剥がれて液晶の配向性が低下し、微小欠陥等の表示不良が生じる。一方、反射電極の電極膜が剥がれた場合はその部分に表示不良が発生し、剥がれた電極膜がリークを誘発することもある。また、リベットが基板間の支点となることで、セル厚がリベット高さで決定されてしまい、リベット接触部分に部分的なセル厚のズレが生じて表示ムラが発生する。また、液晶素子全体のセル厚のズレが生じた場合は所望の光学特性が得られなくなる。さらに、リベット接触部分に液晶層が注入されにくくなり、注入不足部分に表示不良が発生するという問題点もあった。
【００２５】
上記の問題点を解決する方法としては、全体のリベット高さを低くする方法、反射部のみリベット高さを低くする方法、或いは反射部のセル厚を広くする方法等が考えられるが、全体のリベット高さを低くすると、透過部での応答速度が低下し、さらに液晶分子の配向が不安定となって表示のざらつきが発生する。
【００２６】
また、反射部のみリベット高さを低くする場合には、リベット形成プロセスを追加する（２段階に分ける）必要が生じ、製造面、コスト面において不利となり、反射部のセル厚を広くする場合は透過部と反射部のセル厚の比が１／２からずれてしまい、透過部及び反射部での光学特性が一致しなくなる。
【特許文献１】特開平７−１２０７２８号公報
【特許文献２】特開平８−２９２４２３号公報
【発明の開示】
【発明が解決しようとする課題】
【００２７】
本発明は上記問題点に鑑み、製造プロセスの追加や光学特性の低下を伴うことなく、製造時におけるリベットと反射電極との衝突や摩擦を防止する半透過式の垂直配向型液晶素子及びそれを備えた液晶表示装置を提供することを目的とする。
【課題を解決するための手段】
【００２８】
上記目的を達成するために本発明は、透明基板上に透明電極層が積層された第１の基板と、表面に外光を乱反射する多数の凸部及び凹部が形成された反射電極と、バックライト光源からの光を透過する透過電極とが所定のパターンで配置され、前記反射電極及び前記透過電極に電圧を供給する能動素子を備えた第２の基板と、該第１及び第２の基板の間に挟持された液晶層と、から構成され、前記反射電極が存在する反射部と前記透過電極が存在する透過部を有する垂直配向型の半透過型液晶素子において、前記透明電極層上には、前記液晶層に含まれる液晶分子の軸対称の配向中心となる配向中心形成用突起が形成されており、前記配向中心形成用突起に対向する前記反射電極の表面には前記凸部の存在しない平坦部が形成されることを特徴としている。
【００２９】
また本発明は、上記構成の液晶素子において、前記配向中心形成用突起の先端と前記平坦部との間に所定の間隔が設けられることを特徴としている。
【００３０】
また本発明は、上記構成の液晶素子において、前記第１の基板側から平面的に見たとき、前記配向中心形成用突起の外周と、前記平坦部の外周との間に所定の間隔が設けられることを特徴としている。
【００３１】
また本発明は、上記構成の液晶素子において、前記反射電極の厚みにより前記反射部のセル厚を調整することを特徴としている。
【００３２】
また本発明は、上記構成の液晶素子において、前記反射部に対向する前記第１の基板にセル厚調整用段差が設けられることを特徴としている。
【００３３】
また本発明は、上記構成の液晶素子において、前記反射部と前記透過部のセル厚の比が略１／２であることを特徴としている。
【００３４】
また本発明は、上記構成の液晶素子が搭載された液晶表示装置である。
【発明の効果】
【００３５】
本発明の第１の構成によれば、反射部の配向中心形成用突起に対向する反射電極表面に平坦部を設けることにより、製造時における反射電極の凸部と配向中心形成用突起との衝突や摩擦を抑制して表示不良の発生を低減することができる。
【００３６】
また、本発明の第２の構成によれば、上記第１の構成の液晶素子において、配向中心形成用突起の先端と平坦部との間に所定の間隔を設けることにより、反射電極と配向中心形成用突起との衝突や摩擦を一層確実に防止する。
【００３７】
また、本発明の第３の構成によれば、上記第１又は第２の構成の液晶素子において、第１の基板側から平面的に見たとき、配向中心形成用突起の外周と平坦部の外周との間に所定の間隔を設けることにより、配向中心形成用突起の形状や寸法精度に応じて反射電極との衝突や摩擦を効果的に防止可能な形状及び大きさの平坦部とすることができ、且つ、反射部全体として見た場合に反射率の低下が生じない必要最小限の大きさとすることができる。
【００３８】
また、本発明の第４の構成によれば、上記第１乃至第３のいずれかの構成の液晶素子において、反射電極の厚みで反射部のセル厚を調整することにより、透過部及び反射部でのセル厚比を簡易な方法で調整することができる。
【００３９】
また、本発明の第５の構成によれば、上記第１乃至第３のいずれかの構成の液晶素子において、反射部に対向する第１の基板にセル厚調整用段差を設けることにより、透過部及び反射部でのセル厚比を簡易な方法で調整することができる。
【００４０】
また、本発明の第６の構成によれば、上記第４又は第５の構成の液晶素子において、反射部と透過部のセル厚の比を略１／２とすることにより、透過部及び反射部での光学特性が一致した液晶素子となる。
【００４１】
また、本発明の第７の構成によれば、上記第１乃至第６のいずれかの構成の液晶素子を液晶表示装置に搭載することにより、コントラスト低下を抑制しながら応答速度、配向安定性及び生産性にも優れ、表示不良のない高画質、高精細な液晶表示装置を提供できる。
【発明を実施するための最良の形態】
【００４２】
以下、本発明の実施形態を図面を参照して説明する。図１は本発明の第１実施形態に係る液晶素子の構造を示す概略図である。従来例の図１１と共通する部分には同一の符号を付して説明を省略する。図１（ａ）は第１実施形態の液晶素子の部分断面図であり、反射部リベット１０ｂに対向する反射電極１１の表面には凸部１１ａの存在しない平坦部２３が形成されている。この構成により、反射部リベット１０ｂと反射電極１１との間には所定のクリアランスが確保されるため、反射部リベット１０ｂと凸部１１ａとの衝突や摩擦に起因する表示不良の発生も低減する。
【００４３】
図１（ｂ）は、反射部リベット１０ｂと平坦部２３との関係を示す平面図である。平坦部２３は、液晶素子１の組み立て時における位置ずれおよび寸法ずれを考慮して、反射部リベット１０ｂの最大直径Ｄよりも大きい直径Ｄｅｘを有する円形状に形成されている。これにより、反射部リベット１０ｂと凸部１１ａとの衝突や摩擦を効果的に防止する。
【００４４】
図２（ａ）〜（ｃ）は、第１実施形態の液晶素子に用いられるカラーフィルタ基板２の製造工程を示す断面図であり、図３（ａ）〜（ｅ）は、対向基板３の製造工程を示す断面図である。図２、図３を用いて本実施形態の液晶素子の製造プロセスを説明する。
【００４５】
先ず、透明基板５上にマトリクス状のＢＭ（図示せず）をフォトリソグラフィ法により形成した後、図２（ａ）に示すように、画素色に合わせて赤（Ｒ）、緑（Ｇ）、青（Ｂ）のいずれかの着色層６を印刷する。次に、図２（ｂ）に示すように、得られた基板上に、ＩＴＯ等から成る透明電極層７をスパッタリング法で形成する。
【００４６】
さらに、図２（ｃ）に示すように、得られた基板上の透過部に対応する位置に透過部リベット１０ａを、反射部に対応する位置に反射部リベット１０ｂをフォトリソグラフィ法により形成する。その後、垂直配向膜（図示せず）を全面に塗布し、カラーフィルタ基板２を製造する。
【００４７】
一方、透明基板上に金属層を積層した後、フォトリソグラフィ法によりパターニングして補助容量線１２、及びゲート線２０、ソース線２１、ＴＦＴ２２（いずれも図９参照）、を形成し、図３（ａ）に示すようなＴＦＴ基板８とする。次に、透明樹脂層をスパッタリング法で積層し、所定のパターンにエッチングして図３（ｂ）に示すようなゲート絶縁膜１３を形成し、さらにＩＴＯ等から成る透明電極層を積層し、所定のパターンにエッチングして図３（ｃ）に示すような透過電極９を形成する。
【００４８】
次いで、図３（ｄ）に示すように補助容量線１２の存在する部分には保護絶縁膜１４を積層し、さらに保護絶縁膜１４上に樹脂性層間絶縁膜１５及びＡｌ／Ｍｏ膜から成る反射電極膜１６をスパッタリング法で積層し、所定のパターンにエッチングして反射電極１１を形成する。このとき、反射電極１１の表面に凸部１１ａ、凹部１１ｂ、及び平坦部２３が形成される。その後、カラーフィルタ基板２と同様に垂直配向膜（図示せず）を全面に塗布して図３（ｅ）に示すように対向基板３を製造する。最後に、カラーフィルタ基板２及び対向基板３を所定の間隔を隔てて貼り合わせ、隙間に液晶層４を封入して図１に示したような液晶素子１が完成する。
【００４９】
透過部リベット１０ａ及び反射部リベット１０ｂの形状は、画素上の液晶分子の配向方向を２分割以上に分割できるものであれば、特に限定されるものではない。例えば、透過部及び反射部がストライプ状に形成されている場合は、断面が三角形状、半円形状ないし台形状で連続の線形状、透過部及び反射部がマトリクス状に形成されている場合は、三角錐ないし、断面が三角形状、台形状の円錐形状などが好適に用いられる。
【００５０】
図４は、図１に示す液晶素子１各部の寸法を示した表である。透過部１７及び反射部１８のセル厚Ｔ、Ｒは、液晶分子の物性値や駆動電圧等に依存する液晶素子全体の光学特性により決定される。透過部１７及び反射部１８での光学特性を一致させるためには、透過部１７に対する反射部１８のセル厚の比を略１／２とすることが望ましい。ここでは透過部セル厚Ｔ＝３．４μｍ、反射部セル厚Ｒ＝１．７μｍとし、Ｒ／Ｔ＝１／２に設定している。なお、反射部１８のセル厚Ｒは、凸部１１ａ及び凹部１１ｂの中間の高さからカラーフィルタ基板２の透明電極層７表面までの距離とする。
【００５１】
リベット高さＲｉ及びリベット最大直径Ｄは、液晶素子の応答速度と液晶分子の配向安定性を得るために必要な値であり、ここではＲｉ＝１．５μｍ、Ｄ＝１５μｍとしている。反射電極１１の樹脂膜厚ｈは、反射部セル厚Ｒを決定するために必要な値であり、ここではｈ＝１．９μｍとしている。反射電極１１表面に形成される凸部１１ａ及び凹部１１ｂの凹凸深さΔ、及び凹凸ピッチｐは、反射角度に依存する反射電極１１の散乱特性を最適化するために必要な値であり、ここではΔ＝０．８μｍ、ｐ＝１０μｍとしている。
【００５２】
反射部リベット１０ｂと平坦部２３とのクリアランスｃは、樹脂膜厚ｈ及び樹脂上に積層される反射電極膜（Ａｌ／Ｍｏ膜）の膜厚ｔに依存する反射部セル厚Ｒの精度と、リベット高さＲｉの寸法精度、ならびに基板間距離を決定するための球状あるいは柱状スペーサの寸法精度とを考慮して決定される。ここではｃ＝０．６μｍとしている。
【００５３】
なお、上記実施形態においては、反射部リベット１０ｂの下方には凸部１１ａ及び凹部１１ｂが存在しないこととなるが、平坦部２３でも反射率には寄与するため、反射部１８全体として見た場合に反射率の低下は生じない。また、リベット自体が有色であること、リベット部分はセルギャップが狭くリタデーション量が少ないこと、及び、リベットによる電圧降下のため液晶分子にかかる電圧が小さいこと、の３つの理由から、リベット領域は元々透過率が３割程度しかなく、さらにリベット面積は反射領域全体の面積に対して僅かであるため、リベット１０ｂの下方に平坦部２３を設けても透過率の低下による不都合は発生しない。
【００５４】
しかし、凸部１１ａ及び凹部１１ｂの存在する面積を最大として散乱特性を最適にするためには、平坦部２３の面積をできるだけ小さくする必要がある。ここでは反射部リベット１０ｂが円錐形であり、その断面形状が円形であるため、平坦部２３も円形に形成しているが、平坦部２３は円形に限られるものではなく、リベットの断面形状に合わせて任意の形状に設計することができる。例えばリベット１０ｂの断面形状が菱形であれば、平坦部２３も菱形に形成すれば良い。
【００５５】
一方、リベット１０ｂと反射電極１１との摩擦や衝突を確実に防止するためには、カラーフィルタ基板２側から平面的に見たとき、平坦部２３の外周とリベット１０ｂの外周との間に所定の間隔を設けておくことが好ましい。この間隔は、リベット１０ｂ及び平坦部２３の寸法精度、位置精度、並びに基板の貼り合わせ精度を考慮して決定される。ここではリベット直径Ｄ＝１５μｍ、平坦部直径Ｄｅｘ＝２９μｍとし、平坦部の外周とリベットの外周との間隔を（２９−１５）／２＝７μｍとしている。
【００５６】
なお、セル厚Ｔ、Ｒやリベット高さＲｉ、リベット直径Ｄ、反射電極１１の樹脂膜厚ｈ、Ａｌ／Ｍｏ膜厚ｔ、凹凸深さΔ、及び凹凸ピッチｐについても、上記数値に限定されるものではなく、光学特性や応答速度等の液晶素子１の仕様に応じて任意に設定される。また、クリアランスｃも本実施形態に示した値に限定されるものではなく、上述した寸法精度や組み立て精度に応じて適宜設定することができる。
【００５７】
図５は、本発明の第２実施形態に係る液晶素子の構造を示す部分断面図である。図１と共通する部分には同一の符号を付して説明を省略する。本実施形態においては、樹脂性層間絶縁膜１５を対向基板３の全面に積層し、反射部１８にのみ反射電極膜１６を積層して反射電極１１を形成している。また、反射部リベット１０ｂの形成される部分に、透明樹脂材料を用いて予めセル厚調整用段差２４を設けておき、その上に反射部リベット１０ｂを形成している。即ち、セル厚調整用段差２４を用いて透過部１７と反射部１８のセル厚Ｔ、Ｒを調整している。
【００５８】
本実施形態における液晶素子の製造プロセスを、図６を参照しながら説明する。先ず、図６（ａ）に示すように、透明基板５上にマトリクス状のＢＭ（図示せず）をフォトリソグラフィ法により形成し、赤（Ｒ）、緑（Ｇ）、青（Ｂ）のいずれかの着色層６を画素色に合わせて印刷する。そして、図６（ｂ）に示すように、着色層６上に透明性樹脂層を積層し、フォトリソグラフィ法により反射部１５に当たる部分のみを残すことによりセル厚調整用段差２４を形成する。その後、図６（ｃ）に示すように、得られた基板上に、ＩＴＯ等から成る透明電極層７をスパッタリング法で形成する。
【００５９】
さらに、図６（ｄ）に示すように、得られた基板上の透過部に対応する位置に透過部リベット１０ａを、反射部に対応する位置に反射部リベット１０ｂをフォトリソグラフィ法により形成する。その後、垂直配向膜（図示せず）を全面に塗布し、カラーフィルタ基板２を製造する。これにより、対向基板３に貼り合わせた時、反射部１８のセル厚Ｒはセル厚調整用段差２４の厚み分だけ透過部１７のセル厚Ｔよりも狭くなる。なお、対向基板３の製造プロセスについては、樹脂性層間絶縁膜１５を対向基板３の全面に積層し、Ａｌ／Ｍｏ膜から成る反射電極膜１６を反射部１８にのみ積層する以外は図３と同様であるため説明は省略する。
【００６０】
本実施形態においても第１実施形態と同様に、反射部リベット１０ｂに対向する反射電極１１の表面には平坦部２３が形成されているため、反射部リベット１０ｂと凸部１１ａとの衝突や摩擦に起因する表示不良の発生を低減することができる。本実施形態の液晶素子１各部の寸法を図７に示す。反射部リベット１０ｂと平坦部２３との位置関係については第１実施形態の図１（ｂ）と同様であり、液晶素子１各部の寸法値の決定理由についても第１実施形態と同様であるため説明は省略する。
【００６１】
なお、ここでは透明性樹脂を用いてセル厚調整用段差２４を形成しているが、透明電極層７を用いて、セル厚調整用段差２４を透明電極層７と同時形成することもでき、さらに樹脂性層間絶縁膜１５を透過部１７と反射部１８とで異なる厚みに積層して透過部１７と反射部１８とのセル厚比を調整することも可能である。
【００６２】
しかし、透明電極層７の厚みが大きくなると、透明電極での光吸収による色味変化や透過率の低下が無視できなくなり、さらに透明電極層７を厚膜に形成するにはそれだけ製造プロセスにおける膜形成時間も長くなる。また、厚みの異なる樹脂性層間絶縁膜１５を透過部１７と反射部１８とにパターニング形成する場合も製造プロセスが複雑となる。従って、透明性樹脂を用いてセル厚調整用段差２４を形成する本実施形態の方法でセル厚比を調整することが好ましい。
【００６３】
上記各実施形態で説明した液晶モジュールを、バックライト装置と共に液晶テレビやパソコン、デジタルカメラ等の筐体内に搭載することにより、高コントラストで応答速度、配向安定性も良好で、且つ生産性にも優れた液晶表示装置を提供でき、液晶表示装置を搭載した製品の高画質化、高精細化に貢献する。
【００６４】
その他本発明は上記の実施形態に限定されず、本発明の趣旨を逸脱しない範囲で種々の変更が可能である。例えば、ここでは能動素子としてＴＦＴを用いたＴＦＴ方式の液晶素子について説明したが、ＴＦＴに代えてダイオードを用いたダイオード方式の液晶素子にも適用できるのはもちろんである。また、各実施形態における液晶素子の製造プロセスは例示したものに限定されるものではなく、ＢＭや着色層、透明電極層等は、従来公知の製膜技術及びパターニング法を適宜組み合わせて形成することができる。
【００６５】
また、上記第１、第２実施形態においては、対向する２枚の透明基板のうち一方に着色層６を印刷してカラーフィルタ基板としたカラー液晶素子について説明したが、着色層６を設けないモノクロタイプの液晶素子についても全く同様に適用可能である。
【００６６】
また、本発明は反射部１８にリベット１０ｂが設けられる構成であれば適用可能であり、透過部１７には必ずしもリベット１０ａが設けられていなくとも良い。例えば２枚の基板間の距離を規定する柱状スペーサをリベット１０ａの代わりに透過部１７に設けた液晶素子であっても良い。
【産業上の利用可能性】
【００６７】
本発明は、透明基板上に透明電極層が積層された第１の基板と、表面に外光を乱反射する多数の凸部及び凹部が形成された反射電極と、バックライト光源からの光を透過する透過電極とが所定のパターンで配置され、反射電極及び透過電極に電圧を供給する能動素子を備えた第２の基板と、該第１及び第２の基板の間に挟持された液晶層とから構成され、反射電極が存在する反射部と透過電極が存在する透過部を有する垂直配向型の半透過型液晶素子において、透明電極層上には、液晶層に含まれる液晶分子の軸対称の配向中心となる配向中心形成用突起が形成されており、配向中心形成用突起に対向する反射電極の表面には凸部の存在しない平坦部が形成されることとする。
【００６８】
これにより、反射部のリベット高さやセル厚を変えることなく、製造時における反射電極の凸部と配向中心形成用突起との衝突や摩擦を抑制して表示不良の発生を低減することができ、透過部及び反射部での光学特性も変化しない優れた液晶素子を提供する。また、平坦部は反射電極に凸部及び凹部を形成する際に同時形成されるため、別途製造プロセスを追加する必要もない。さらに、リベットと平坦部との間に所定のクリアランスを設けておけば、反射電極とリベットとの衝突や摩擦を一層確実に防止することができる。
【００６９】
また、第１の基板側から平面的に見たとき、配向中心形成用突起の外周と平坦部の外周との間に所定の間隔を設けておけば、平坦部の形状及び大きさを、リベットの形状や寸法精度、基板の貼り合わせ精度を考慮して反射電極との衝突や摩擦を効果的に防止可能となる。また、反射部の面積を最大とすることができるため、反射部全体として見た場合に反射率の低下も発生しない。
【００７０】
また、反射電極の厚み、或いは第１の基板に設けられたセル厚調整用段差で反射部のセル厚を調整することにより、透過部及び反射部でのセル厚比を簡易な方法で調整することができ、セル厚比を略１／２に設定すれば、透過部及び反射部での光学特性が一致した液晶素子となる。
【００７１】
また、本発明の液晶素子を搭載することにより、視野角特性に優れ、且つコントラスト低下を抑制しながら応答速度、配向安定性及び生産性も向上した、表示不良のない高画質、高精細な液晶表示装置を提供することができる。
【図面の簡単な説明】
【００７２】
【図１】は、本発明の第１実施形態に係る液晶素子の構造を示す部分断面図（ａ）及び平坦部とリベットとの関係を示す平面図（ｂ）である。
【図２】は、第１実施形態に係る液晶素子のカラーフィルタ基板の製造工程を示す断面図である。
【図３】は、第１実施形態に係る液晶素子の対向基板の製造工程を示す断面図である。
【図４】は、第１実施形態の液晶素子各部の寸法を示す表である。
【図５】は、本発明の第２実施形態に係る液晶素子の構造を示す部分断面図である。
【図６】は、第２実施形態に係る液晶素子のカラーフィルタ基板の製造工程を示す断面図である。
【図７】は、第２実施形態の液晶素子各部の寸法を示す表である。
【図８】は、従来のＴＮ型液晶素子の視角によるコントラスト変化を示す断面図である。
【図９】は、従来のＭＶＡ型液晶素子を示す部分断面図である。
【図１０】は、従来の半透過型のＭＶＡ型液晶素子を示す平面図である。
【図１１】は、従来の半透過型のＭＶＡ型液晶素子を示す部分断面図である。
【符号の説明】
【００７３】
１                液晶素子
２                カラーフィルタ基板（第１の基板）
３                対向基板（第２の基板）
４                液晶層
５                透明基板
６                着色層
７                透明電極層
８                ＴＦＴ基板
９                透過電極
１０              リベット（配向中心形成用突起）
１０ａ            透過部リベット（配向中心形成用突起）
１０ｂ            反射部リベット（配向中心形成用突起）
１１              反射電極
１１ａ            凸部
１１ｂ            凹部
１６              反射電極膜
１７              透過部
１８              反射部
２２              ＴＦＴ
２３              平坦部
２４              セル厚調整用段差
【図１】
2006322958.tif 000003
【図２】
2006322958.tif 000004
【図３】
2006322958.tif 000005
【図４】
2006322958.tif 000006
【図５】
2006322958.tif 000007
【図６】
2006322958.tif 000008
【図７】
2006322958.tif 000009
【図８】
2006322958.tif 000010
【図９】
2006322958.tif 000011
【図１０】
2006322958.tif 000012
【図１１】
2006322958.tif 000013